(57)【要約】      （修正有）【課題】陶土を一体焼成することによって得られたシングルコーン型又は２ウエイ型スピーカボックスをベースとして、コンパクトで意匠性に優れるとともにコストパフォーマンスに優れた卓上型のバックロードホーン式スピーカボックスを提供する。【解決手段】上記スピーカボックス１００は、陶土を使用して、以下の各部位を個別に成形し、それらを継ぎ足し、連結したあと一体焼成して構成する。具体的には、第１筒状体４と第２筒状体５を基台８に立設するとともに、上方で梁３を介してこれらの筒状体を門型状に構成し、かつ、これらの筒状体の下部前方にホーン６を設け、前記梁に高音スピーカ取付部２及び中音スピーカ取付部１を設け、かつ、第１筒状体、梁、第２筒状体及びホーンの夫々内部を空洞によって連通構成し、前記中音スピーカ取付部の背面にバックチャンバー２３を設けるとともに、第１筒状体と第２筒状体の内部は仕切板によって上下或いはジグザグ状に折り返して屈折した空洞からなる音道を形成する。【選択図】図１
0003150127.tif 000002
【実用新案登録請求の範囲】
【請求項１】
第１筒状体と第２筒状体を基台に立設するとともに、上方で梁を介してこれらの筒状体を門型状に構成し、
かつ、これらの筒状体の下部前方にホーンが設けられ、
前記梁に高音スピーカ取付部及び中音スピーカ取付部を設け、
かつ、第１筒状体、梁、第２筒状体及びホーンの夫々内部を空洞によって連通構成し、
前記中音スピーカ取付部の背面にバックチャンバーを設けるとともに、
第１筒状体と第２筒状体の内部は仕切板によって上下或いはジグザグ状に折り返して屈折した空洞からなる音道が形成された卓上型のバックロードホーン式スピーカボックスであって、
このスピーカボックスは陶土製であることを特徴とするバックロードホーン式スピーカボックス。
【請求項２】
前記高音スピーカ及び前記中音スピーカの取付面に対し、
前記ホーンの開口方向が略平行であることを特徴とする請求項１記載のバックロードホーン式スピーカボックス。
【考案の詳細な説明】
【技術分野】
【０００１】
本考案は、高音及び中音スピーカ用の取付部を設けた２ウエイ型のスピーカボックスであって、中音スピーカ取付部の背後に長い音道を設けた卓上型のバックロードホーン式スピーカボックスに関するものである。詳しくは、陶土製の２ウエイ型スピーカボックスをベースとして、中音スピーカ取付部の背後に複雑に屈曲或いは屈折した長い音道を形成することによってバックロードホーン式を実現するもので、かつ、コンパクトで意匠性に優れるとともにコストパフォーマンスに優れた卓上型のバックロードホーン式スピーカボックスに関する。
【背景技術】
【０００２】
オーディオマニアは、自然界の生の音に限りなく近い雰囲気感のある音を求めて止まないものである。従来、音響再生の臨場感を得るために、マルチスピーカシステムが利用されてきた。スピーカの数をシングルコーンの不足再生周波数帯域を補う意味から２、３ウエイ、或いはマルチウエイにすることによって雰囲気感のある音、或いは立体感のある音が求められる。一方、オーディオマニアの間では好みの音を再生するためにスピーカボックスに種々の工夫を加えることがなされている。その中で、拍子木のように澄んだ響きのある音を再生することを目的として、スピーカボックスの材質として一般的に木製であっても、合板ではなく堅い無垢材を使用したり、無垢材に近いランバーコア、寄せ木等を利用している。或いは無垢材から転じて焼土管又は陶磁製のものも採用されている。また、スピーカボックスは、システム或いは形状について工夫がなされている。一般に、直接放射型スピーカシステムでは、振動板の前面と背面とから互いに逆位相の音が放射される。スピーカ単体で用いると、前面および背面の音が干渉し、中音域での放射能率が著しく低下する。これは、人間が聞くことができる音波の周波数は個人差や年齢差もあるが、大体２０〜１５，０００Ｈｚと言われており、この可聴域をより広い周波数を発する自然界の生の音に限りなく近い再生が求められる。人間の可聴域以上又は以下の音の再生は、極めて重要であり、音の柔らかさや温かさが感じられるよい雰囲気感のある音場形成と音作りを提供してくれる。そこで、スピーカを取付けるためのバッフルを設けて、振動板の前面と背面の音を分離し、さらにバッフル板の周りを後ろに伸ばしてボックスを形成し、再生周波数を広く得ている。以下に、各種のスピーカボックスの形状或いはシステムについて述べる。
【０００３】
先ず、密閉式スピーカシステム２０の断面を模式的に図１１に示す。この場合、スピーカ２０１ の背面から出た音はボックス２００ のバックチャンバー２０２ に閉じ込められるので、小さなボックスではその音圧を逃がすことができず、また背面からの音を利用できないという欠点があるが、無限バッフルの論理と同様に澄み切った音の再生ができる長所がある。
【０００４】
そこで、バスレフ式スピーカシステム３０の断面を模式的に図１２に示す。この方式は、背面の音を利用すべくボックスにポートを開けている。このシステムでは、背後にバックチャンバー３０２ を設けて背面の音を開口部３０３ から反転出力させるので、背面からの音を利用でき、中音域での放射能率を高めることができる最も多いスピーカボックスの形態である。
【０００５】
次に、ラビリンス式スピーカシステム４０の断面を模式的に図１３に示す。この方式は、更に背面の音を利用すべくボックスに屈折した音道を開けている。この迷路から構成されるラビリンス式ボックス４００ は、スピーカ４０１ の背面のバックチャンバー４０２ 、このバックチャンバー４０２ から伸びるスロート４０３及び背後の仕切板４０６によって囲まれた長い屈曲した音道４０４及び開口部４０３ を備える。音道が複雑に屈曲或いは屈折した迷路の形状なので、中高音を減衰させることによって共鳴を防ぐことができる。
【０００６】
また、スピーカの中中音領域を拡大する技術として、従来からバックロードホーン式スピーカシステムが知られている。バックロードホーンの基本原理を、バックロードホーン式スピーカシステム５０の断面を模式的に図１４に示す。バックチャンバー５０２と、スロート５０５と、開口部５０３に向けて口径開口面積を急激に拡大させた音道５０４とから構成されたものである。バックロードホーン式スピーカボックス設計の基本ポイントは、１．バックチャンバーの内容積の大きさ、２．スロートの断面積の設定、３．音道の拡がり率の設定、４．音道の全長の設定が重要な要件であるとされている。ところで、本図に示す基本構造では、実用性がないという理由から、発展したバックロードホーン式スピーカシステム６０の断面を模式的に図１５に示す。この音道６０４の部分を上下に折り畳んで直方体の箱の中に収めるために、直方体の木製のボックス６００内を２枚以上の平板状の仕切り板６０６を用い、ボックス６００内を迷路状に仕切ることによって、ボックス６００内にバックチャンバー６０２と、音道６０４とを形成するのが木製ボックスの一般的な構成であった。しかし、ボックス内を平板状の仕切り板で迷路状に仕切って内径が漸増する音道を形成したときには、仕切り板の平板同士あるいは平板とキャビネットの内壁との接合部に角が形成され、この角の部分に渦流が発生し、或いは開口部で反射が生じて、音質に悪影響を与えることを指摘された。そこで、更に発展したバックロードホーン式スピーカシステム７０の断面を模式的に図１６に示す。このシステムでは、開口面積が徐々に大きくなる音道７０４が連通して、この音道７０４の終端部がラッパ状に開く開口部７０３を有する。この際、スピーカ７０１の前面から音波が放射され、且つ、スピーカ７０１の背面からの音波はボックス７００内のバックチャンバー７０１、スロート７０５、音道７０４を順に通って外部に放射されている。上記のように構成した一般的なバックロードホーン式スピーカシステム７０の特徴は、中音での放射能率を高めることができる。また、この方式ではオーディオマニアの間では、音の遅れを積極的に利用して立体感ある柔らかい雰囲気音を演出することで好まれる。このバックロードホーン式スピーカシステムでは、小さなスピーカユニットであっても中音域の量感を向上できる長所があり、スピーカボックスの前面から出る高音或いは中音は直接放射させ、かつ、中音は中音スピーカの後方の長い音道を通して再生して放射させ、中音域の量感を向上できるので注目を集めている。
【０００７】
ところで、このバックロードホーン式スピーカシステム７０におけるスピーカボックスを作製するにあたって、音道に板材などを用いた時には開口部７０３を形成するように仕切板７０６、７０６に曲面に曲げ次加工を施すが、曲面状に形成することが困難である。現在においては、ラワン合板やシナ合板等の木製板材を所望寸法に切断して、各寸法の板材を釘や接着剤を用いて適宜に組み立てることにより、箱型のボックス本体を得る一方、ボックス本体の内部に中音増幅用の音道を形成して、これをバックロードホーンのスピーカボックスとして使用している。この場合、各帯域の音がボックスの中で緩衝し合って籠った雰囲気の音として再生される。更に材質のグレードアップを図り、楓、楢、欅等の無垢材を使って例えば拍子木の音のように木質自体のよい響きのよい音を求めている。一方、このようなバックロードホーン式スピーカシステムと雖も、接着、釘打ち構成した木製のキャビネットには箱鳴りが生じる。また音道の形成は、直管の組み合わせによらざるを得ないため、継ぎ目ごとに反射が出て音が濁る。そこで、以下のような提案がなされている。即ち、中中音域の出力音圧レベルを高め、質感を高めるため、積極的に円形状断面の滑らかな音道を構成することが課題となっている。そのため、バックロードホーンエンクロージャの本体を合成樹脂にて一体成形することによって、バックチャンバーから開口部までの音道の長さを自由に設定し、かつ円形状断面の滑らかに設定された音道の全長を折返し形状に構成して一体成形することができ、従来の木製ボックスのような箱鳴りが少なく、純度の高い良質の中中音を大きく放射でき、特に合成樹脂材にジシクロペンタジエンを主原料としたオレフィン系非発泡材を選定使用することによって、材質の有する高い剛性のため、音の抜けがよく、金管楽器とはまた違った生々しい音質の音響を発生させることができる。（特許文献１）
【０００８】
木材の他スピーカボックスの材質として、中密度繊維板、ポリカーボネートおよび大理石などの堅い素材が用いられてきた。堅い素材を使うと、ボックス内の気圧変動と材料の鳴きを防ぐという点で有利だからである。他に、釣鐘のように無垢の厚い金属はお椀形の板厚内部を音波が往復することによって響きのある音として耳に入り、鐘の板厚さの中を音波が往復することによって余韻のある響きのよい音を提供してくれる。
【先行技術文献】
【特許文献】
【０００９】
【特許文献１】特開平２００７−９６４９５号公報
【考案の概要】
【考案が解決しようとする課題】
【００１０】
然し乍ら、従来のスピーカボックスは、多数の木製板材を所定寸法に切断して、これらを手作業で精度をもって組み立てなければならないので、自ずと、設計、製作が大変となって、量産には向いていない。又、バックロードホーンの音道は、本来的には、複雑に屈曲した長い曲線形状であることが理想とされているにも拘わらず、単なる矩形状の板材を組み合わせるだけでは、望む音道を形成することは事実上不可能である。そのため、バックロードホーンの長所を十分に生かすことができず、その上、いくら慎重に組み立てたとしても、音道の密閉構造が得にくいので、これに起因して、音漏れを引き起こす恐れも有していた。従来から、バックロードホーンシステムに使用されるボックスの開発がいろいろと試みられているが、ボックスは、内部に中音を増幅するための複雑に屈曲した長い音道を形成しなければならないので、この音道の形成により、設計、製作上で種々の制約を受けることとなる。また、ボックスの素材面から、従来のスピーカシステムでは以下の問題があった。仕切板等の反射雑音を減らし、スピーカシステムの反響や共鳴などを調整するため、ボックス内部に吸音材などを設ける必要があった。特にバスレフ式ボックスでは、この必要性が高かった。ボックス内部にスロートを設けるラビリンス式やバックロードホーン式のボックスの場合、ボックスの内容積に制限があるために、スロートの長さや数には設計上の限界がある。また多量の板材や、複雑かつ精密な加工を要するので高価なボックスになり易い。前記のような対策を採ると、スピーカシステムの小型化が難しい。また、木製の場合、多量の板材の継ぎ足しなので、ボックスの内容積に制限があり、スロートの長さや数には設計上の限界があってスピーカシステムの小型化が難しい。木製の場合、複雑かつ精密な加工を要するので高価なボックスになり易い。
【００１１】
そこで、本考案は無垢の木材、中密度繊維板、ポリカーボネートおよび大理石などの堅い素材から転じて、同様な無垢材であって、種々の形状のボックスを実現できる材質として陶土を採用し、陶土を一体化焼成することによって、バックチャンバーから開口部までの音道の長さを自由に設定し、かつ、円形状断面の滑らかに設定された音道の全長を折返し形状に構成して一体成形することができ、しかも、焼き物なので音道を密閉構造にすることができる。本考案は、上記従来の課題を解決するためになされたものであり、その目的は、陶土を一体焼成することによって得られたシングルコーン型又は２ウエイ型スピーカボックスをベースとして、中音スピーカ取付部の背後に複雑に屈曲或いは屈折した密閉構造の長い音道を自由に形成することによってバックロードホーン式を実現するもので、かつ、コンパクトで意匠性に優れるとともにコストパフォーマンスに優れた卓上型のバックロードホーン式スピーカボックスを提供することを目的とする。
【課題を解決するための手段】
【００１２】
上記目的を達成するために、請求項１の考案は、第１筒状体と第２筒状体を基台に立設するとともに、上方で梁を介してこれらの筒状体を門型状に構成し、かつ、これらの筒状体の下部前方にホーンが設けられ、前記梁に高音スピーカ取付部及び中音スピーカ取付部を設け、かつ、第１筒状体、梁、第２筒状体及びホーンの夫々内部を空洞によって連通構成し、前記中音スピーカ取付部の背面にバックチャンバーを設けるとともに、第１筒状体と第２筒状体の内部は仕切板によって上下或いはジグザグ状に折り返して屈折した空洞からなる音道が形成された卓上型のバックロードホーン式スピーカボックスであって、このスピーカボックスは陶土製であることを特徴とする。請求項２の考案は請求項１の考案の上記特徴に加えて、前記高音スピーカ及び前記中音スピーカの取付面に対し、前記ホーンの開口方向が略平行であることを特徴とする。
【考案の効果】
【００１３】
陶土製の２ウエイ型スピーカボックスをベースとして、中音スピーカ取付部の背後に複雑に屈曲し或いは屈折した長い音道を形成したので、コンパクトでかつ意匠性、コストパフォーマンスに優れたバックロードホーン式スピーカボックスを実現することができた。そして、このコンパクト化のために、音道を上下左右にジグザグに複雑に屈曲し或いは屈折して形成させ、２個のスピーカ前面からの音波の放射方向と長いバックロードを経由した開口からの音波の放射方向とは異なるので、本スピーカボックスを採用することによって３スリーディメンショナル音響（以下３Ｄ音響）効果が得られ、音の遅れ或いは立体感のある柔らかい雰囲気音を演出することが期待できる。即ち、放出された音波は部屋の状況と調和して優れた空間合成を提供できる。一方、スピーカボックスの材質面からは、陶土を一体成形し焼成することによりを形成したので、木製のような共鳴、共振を防いで音質劣化を回避すべく期待できる。そして、陶土を一体成形し焼成することにより屈曲した壁に不要な隙間が生じることがないので、音もれも一挙に解消できるとともに、音道のコーナー部も曲線形状にでき、音道の広がり形状も曲線形状となすことができるので、反射、気流の乱れが少なく音の濁りもなくなることが期待できる。更に、陶土を一体成形することによって、バックチャンバーから開口部までの音道の長さを自由に設定し、かつ設定された音道の全長を上下にジグザグ状にした音道迷路を一体成形することができ、従来の木製キャビネットのような箱鳴りが少なく、純度の高い良質の中中音を大きく放射でき、特に陶土の材質の有する高い剛性のため、音の抜けがよく、金管楽器とはまた趣の異なる音質の音響を発生させることができる。また、音道の内壁を曲面にて構成するので、バックチャンバーから、音道を経て開口部に至るまでその内壁を滑らかな曲面にて音に濁りのない中低域の音を放射し、内壁の曲面を多種類の曲線の組合せによって形成することによって、中中音域の広い周波数帯にわたり、開口部から放射する音の音圧を高め、かつ、非常に長いスロート部を容易に形成できるので、中高音を減衰させて共鳴、振を防ぐことができる。
【図面の簡単な説明】
【００１４】
【図１】本考案の実施例１に係るバックロードホーン式スピーカボックスを正面側から見た全体斜視図である。
【図２】同上、バックロードホーン式スピーカボックスを背後から見た全体斜視図である。
【図３】同上、図１におけるＡ−Ａ矢視断面図である。
【図４】同上、図２におけるＢ−Ｂ矢視断面図である。
【図５】同上、ボックス断面における音波の流れを模式的に示した図である。
【図６】本考案の実施例２に係るバックロードホーン式スピーカボックスの全体斜視図である。
【図７】同上、図６におけるＣ−Ｃ矢視断面図である。
【図８】同上、バックロードホーン式スピーカボックスを側方から見た全体斜視図である。
【図９】同上、図８におけるＤ−Ｄ矢視断面図である。
【図１０】同上、ボックス断面における音波の流れを模式的に示した図である。
【図１１】従来例に係る後方密閉型スピーカボックスの断面を示す模式図である。
【図１２】同上、バスレフ式スピーカボックスの断面を示す模式図である。
【図１３】同上、ラビリンス式スピーカボックスの断面を示す模式図である。
【図１４】同上、バックロードホーン式スピーカボックスの断面を示す模式図その１である。
【図１５】同上、バックロードホーン式スピーカボックスの断面を示す模式図その２である。
【図１６】同上、バックロードホーン式スピーカボックスの断面を示す模式図その３である。
【考案を実施するための形態】
【００１５】
本実施例のバックロードホーン式スピーカボックスは、陶土製の２ウエイ型スピーカボックスをベースとして、中音スピーカの後方内部に複雑に屈曲し或いは屈折した長い音道を形成する。本考案の実施の形態を、添付図面を参照しながら以下に具体的に説明する。
【実施例１】
【００１６】
先ず、本考案の実施例１について、図１〜図５を参照しながら説明する。図１は、バックロードホーン式スピーカボックスの全体斜視図である。図２は、スピーカボックスを背後から見た全体斜視図である。図３は、図１のＡ−Ａ矢視断面図である。図４は、図２のＢ−Ｂ矢視断面図である。図５は、スピーカボックス断面における音波の流れを模式的に示した図である。なお、斜視図、正面図における物体の天地を上下方向と称し、左右を左右方向と称する。そして、スピーカ取付面側を正面と称し、その裏側を背面と称する。他の実施例についても同様である。
【００１７】
バックロードホーン式スピーカシステムのボックス１００は、陶土を使用して各部材を分割して成形した後にこれらを合体焼成したものであり、その正面側から見た外観を図１に示す。下方の基台８から左右の第１筒状体４と第２筒状体５とが夫々立ち上がり、上方で梁３によってこれらの筒状体が門型状に結合されたスピーカボックスである。この梁３の正面はスピーカを取付けるバッフルの機能を有し、上方に高音スピーカ取付部２、この直下に中音スピーカ取付部１が並んで設けられる。これらは２本のスピーカを嵌め込むための部位である。高音スピーカ取付部２は中央の穴２１が空洞の内部へ貫通し、その周りにスピーカを例えば螺子止め可能にリング状の鍔２２が構成される。同様に、大サイズの中音スピーカ取付部１にも中央の穴１１が内側へ貫通し、その周りにリング状に鍔１２が構成される。一方、第２筒状体５の足元から左方へ向けて、朝顔状に開くホーン６がほぼ水平に基台８上に載置される。空洞のホーン６は空洞の第２筒状体５と内部で連通し、左方へ向けて開口面積が徐々に大きくなって最大に開口し開口部７に至る。まとめると、ボックス１を構成する第１筒状体４、梁３、第２筒状体５及びホーン６は夫々空洞であり、ボックス１は夫々の部材が内部で連通した結合体である。また、図２にボックス１００を背後から見た状態を示し、左方が正面側である。基台８に第２筒状体５が立設し、これに下方左側に向けてホーン６が連設する。第２筒状体５の上方左側には、上から高音スピーカ取付部２と中音スピーカ取付部１が上下に並ぶ。即ち、本実施例のスピーカボックスは、後述する内部のバックチャンバーとこの背後に連通する屈曲或いは屈折した音道と、これに連通するホーン６とでエンクロージャが構成され、外壁にスピーカを嵌め込むための取付部を設けたものである。上記高音スピーカ取付部及び上記中音スピーカを取り付けるための鍔１１、２２の面に対して、ホーン６は略平行に設けられる。
【００１８】
第１筒状体、梁、第２筒状体、ホーンの内部は空洞からなる音道が形成される。図３及び図４では、スピーカボックス１００の内部で音道が連通する状態を示し、図３は図１におけるＡ−Ａ矢視断面図、図４は図２におけるＢ−Ｂ矢視断面図を示す。先ず、図３において、左方がボックス１００の正面側で、右方が背面側である。基台８の右寄りに第２筒状体５が立設され、この上方の正面側に高音スピーカ取付部２、その直下に中音スピーカ取付部１が設けられる。小径の高音スピーカ取付部２の中央部に穴２１が正面側に向けて開口し、この周りに鍔２２がリング状に設けられ、穴２１の背後は高音スピーカの空気室となるバックチャンバー２３が設けられ、音道とは連通しない。一方、大径の中音スピーカ取付部１の中央部に穴１１が正面側に向けて開口し、この周りに鍔１２がリング状に設けられ、穴１１の背後は中音スピーカの空気室となるバックチャンバー１３であり、これは背後のスロート４１を経て紙面の裏側へ抜けて音道に連通する。ここで、両スピーカ取付部の穴１１、２１の開口方向は、スピーカから正面側へ放射される音波の方向、或いは、スピーカの背面側へ放射される音波の方向と一致する。次に、これボックス１の内部における屈曲或いは上下にジグザグに屈折した音道の形成状態を図４に示す。図の上部中央同心円の最内側は中音スピーカ取付部１の背後に相当し、バックチャンバー１３の一部である。このバックチャンバー１３から、図３のスロート４１を経て、図４の右寄りで下方に延びる音道Ｐ１へ連通する。以降の音道は、中音スピーカの背後から放射された音波を開口部７へ導く部分であり、断面は円形或いは円形を基本とする。音道の長手方向は直線或いは複数種類の曲線を組合わすことによって内壁にバリエーションをもたせ、或いは屈曲又は上下にジグザグ状に屈折して折返し形状に構成し、最後のホーン入口から開口部に向けて口径開口面積が急激に拡大する。詳しくは、第１筒状体４の中は複数の仕切板によって複数の音道に区分され、それらは屈折して上下にジグザグに連通する。先ず、音道Ｐ１は、基台８にほぼ垂直に立設された外壁４６と途中で切れる仕切板４２によって囲まれるように形成され、略垂直に下方へ下がる。その右方の音道Ｑ１は、前記仕切板４２と基台８にほぼ垂直に立設された短尺の仕切板４３によって囲まれるように形成され、略垂直に上方へ短く延びる。次に、その右方の音道Ｒ１は、前記仕切板４３と前記仕切板４２からＶ字状に枝分かれた仕切板４４によって囲まれるように形成され、略垂直に下方へ短く延びる。次いで、その右方の音道Ｓ１は、前記仕切板４４と基台８に傾斜して立設された外壁４５によって囲まれるように形成され、斜め上方へ延びる。以上、第１筒状体４の複数の音道を経て、梁３内部の水平方向の音道Ｔ１を経て他方の第２筒状体５へ連通する。次いで、その左方の音道Ｕ１は、基台８に斜上に立設された外壁５１と内側の外壁５２によって囲まれるように形成され、略垂直に斜め下方へ延びる。最後に、音波は音道Ｕ１の下方のスロート６１を経て、ホーン６の内壁に沿う音道Ｖ１に導かれ、開口部７に至る。
【００１９】
最後に、音波の流れについて音道を一部簡略化した図５に基づいて説明する。中音スピーカのバックチャンバーから放射された音波は、図（ａ）の第一筒状体の音道を経て、次に図（ｂ）の第二筒状体の音道に導かれてホーンの開口部に至り外へ放射される。詳しくは、音波は、図（ａ）の中央のバックチャンバー１３から音波Ｅ１の方向に音道を下降し、基台８の内壁にぶつかって音波Ｆ１の方向に折れ曲がって上昇し、天井部にぶつかって内壁に沿って音波Ｇ１の右方水平方向へ向かう。次いで、内壁にぶつかって音波Ｈ１の方向に折れ曲がって音道を下降し、更に音波Ｊ１の方向に下降し、音波Ｋ１の方向に曲がって右の図（ｂ）へ音波が向かう。この部位はホーン６の入口のスロートの部位に相当し、音波は音波Ｋ１の方向からホーン６の内壁に沿って音波Ｌ１の方向へ向かい、開口部７から放射される。以上のようにして中音スピーカの背後の音波は、音道を経由して上下左右の反転を繰り返しながら出力される。音道が屈曲或いは屈折して長いので中音スピーカからの音波を減衰させることによって共鳴を防ぐことができる。
【００２０】
以上、本実施例１の音道についてまとめる。中音スピーカ取付部背後のバックチャンバーの後方に、断面がほぼ円形を基本とする音道が形成され、かつ、長手方向は上下方向にジグザグ状に連通した音道が形成される。さらに、音道の先は、口径断面積が急激に大きく変化したホーンに導かれて開口部に至る。
【実施例２】
【００２１】
次に、本考案の実施例２ついて、図６〜図１０を参照しながら説明する。図６は、バックロードホーン式スピーカボックスの全体斜視図である。図７は、同上スピーカボックスの側面図である。図８は、図６のＣ−Ｃ矢視断面図である。図９は、図７のＤ−Ｄ矢視断面図である。図１０は、スピーカボックス断面における音波の流れを模式的に示した図である。
【００２２】
本実施例の実施例１との主たる相違点は、ホーンを斜め下方に傾斜して筒状体に連設したところにある。以下、実施例１と相違する箇所について主に説明する。
【００２３】
正面側から見たバックロードホーン式スピーカシステムのボックス２００の外観を図６に示す。下方の基台８から左右の第１筒状体４と第２筒状体５とが夫々立ち上がり、上方で梁３を介して門型状に連結したスピーカボックスである。この梁３の正面はスピーカを取付けるためのバッフルの機能を有し、上方右側に中音スピーカ取付部１、この下方左寄りに高音スピーカ取付部２が設けられる。高音スピーカ取付部２は中央の穴２１が空洞の内部へ通じ、その周りにスピーカを例えば螺子止め可能にリング状の鍔２２が構成される。同様に、大サイズの中音スピーカ取付部１は中央の穴１１が内部へ貫通し、その周りにリング状に鍔１２が構成される。一方、上方高音スピーカ取付部２の近傍から下方右へ傾斜してホーン６が朝顔状に開く。ホーン６は内部で第２筒状体５に連通し、開口面積が右方へ向けて徐々に大きくなって開口部７に至る。まとめると、ボックス２００は第１筒状体４、梁３、第２筒状体５及びホーン６とが、内部で空洞が連通した一体の結合体である。また、図７にボックス２００を図６の右側から見た状態を示し、左方が正面側である。基台８の手前に第１筒状体４及びこの奥に重なるように第２筒状体５が立設し、これにホーン６が連設し、手前左側へ開口部７が開く。即ち、本実施例２のスピーカボックスの内部は、後述するバックチャンバーとこの背後に連通する屈曲或いは屈折した音道と、これに連通するホーン６とで、エンクロージャが構成され、外壁にスピーカを嵌め込むための二本のスピーカの取付部を設けたものである。上記高音スピーカ取付部及び上記中音スピーカを取り付けるための鍔１１、２２の面に対して、ホーン６は略平行に設けられる。
【００２４】
第１筒状体、梁、第２筒状体、ホーンの内部は空洞からなる音道が形成される。図８及び図９では、スピーカボックス２００内で音道が連通する状態を示し、図８は図６におけるＣ−Ｃ矢視の、図９は図７におけるＤ−Ｄ矢視の断面を示す。先ず、図８において、右方がボックス２００の正面側で、左方が背面側である。基台８の左寄りに第２筒状体５が立設され、この奥に第１筒状体４が重なって立設される。この上方の正面側に中音スピーカ取付部２が設けられ、このスピーカ取付部１の中央部に穴１１が正面側に向けて開口し、この周りに鍔１２がリング状に設けられ、穴１１の背後は高音スピーカのバックチャンバー１３が設けられ、スロート４１を経て紙面裏側へ抜けて音道に連通する。ここで、両スピーカ取付部の穴１１、２１の方向は、スピーカから正面側へ放射される音波の方向、或いは、スピーカの背面側へ放射される音波の方向と一致する。次に、これボックス１の内部における屈曲或いは上下にジグザグに屈折した音道の形成状態を図９に示す。図の上部中央の中音スピーカ取付部１の背後のバックチャンバー１３から、音波は図９における左方の音道Ｐ２へ連通する。以降の音道は、スピーカの背後から放射された音波を開口部７へ導く部分であり、断面は円形或いは円形を基本とし、長手方向は直線或いは互いに形状が異なる複数種類の曲線によってバリエーションをもつ内壁が形成され、更に屈曲或いは屈折しながらホーンに至り、開口部に向けて口径開口面積が急激に拡大する。左右の筒状体の上方は梁を介してアーチ状に連設される。左側の音道Ｐ２は、基台８に立設された外壁４７と外壁４８によって挟まれるように形成され、略垂直に下方へ長く延びる。次に、右方の音道Ｕ２は、基台８に斜上に立設された外壁５３と内側の外壁５４によって挟まれるように形成され、略垂直に立ち上がる。最後に、音波は音道Ｕ２の上方のスロート５５を経て、ホーン６の内壁に沿う音道Ｖ２に導かれて開口部７に至る。
【００２５】
最後に、音波の流れについて、音道を一部簡略化した図１０に基づいて説明する。中音スピーカのバックチャンバーから放射された音波は、図（ａ）の第一筒状体の音道に沿い、次に図（ｂ）の第二筒状体の音道に導かれてホーンの開口部から外へ放射される。詳しくは、図（ａ）によると、上方中央のバックチャンバー１３から第一筒状体４の音道に沿って音波Ｅ２の方向に下降し、基台８の内壁にぶつかって音波Ｆ２の方向に曲がって第二筒状体５の音道を上昇し、音波Ｇ２の方向へ向かう。次いで、右の図５（ｂ）へ音波が流れる。音波は、ホーン６の入口のスロートの部位から音波Ｋ２の方向へ導かれて、以下ホーン６の内壁に沿って音波Ｌ２の方向へ流れ、開口部７から放射される。
【００２６】
以上、本実施例１の音道についてまとめる。中音スピーカ取付部背後のバックチャンバーの後方に、断面がほぼ円形を基本とする音道が形成され、かつ、長手方向は上下方向にジグザグ状に連通してコンパクトな音道が形成される。さらに、音道のこの先は、ホーンの口径断面積が急激に大きく変化した内壁を辿って開口部に至る。
【００２７】
実施例１及び２は以上のように構成され、以下にこれら実施例の作用について説明する。
【００２８】
スピーカボックスは陶土を使用して各部位を個別に空洞体として成形し、それらを継ぎ足し連結したあと一体化焼成することによって製作する。先ず、要部の二本の筒状体を別個に成形し、これらの内部は複数の仕切板が上下方向に設けられ、ジグザグの音響迷路からなる音道が夫々連通するように構成される。この後、梁に二本の筒状体を連結して門型に連結した後、ホーンを連結してこれらを基台８の上に立設する。このような製作方法によるので、オーディオマニアの趣向に応じて音道を構成する内部の空洞のバリエーションが豊富になり、音道の長さ、内壁の形状に工夫を凝らすことができる。一方、オーディオマニアの趣向に応じてデザイン性の豊富な外観又は大きさに工夫を凝らすことができる。
【００２９】
スピーカボックス材料の陶磁器は食器、住宅基材、家具類に利用されてきた成形材料であるが、本考案のものは音響機器であるバックロードホーン式スピーカボックスに適用させた数少ない試みである。本考案では陶土を一体焼成した焼き物なので、バックチャンバーから音道、ホーン、開口部までの音道を密閉構造にすることができる。そして、焼成温度によって密度の異なるスピーカボックスが得られ、木製とは違った音質が得ることが期待される。陶磁器は堅い無垢の材料なので、ボックス内の気圧変動を防ぐという点で有利であり、木製のスピーカボックスのように箱鳴りを生じることがない。そのため、拍子木のような濁りのない澄んだ音質を追求でき、木製のボックスのような共鳴、共振のない音質を期待できる。
【００３０】
本考案では陶土を使用するので、狭いスペースの筒状体の内部を上下に屈折させて長い多路の音道を得るために適している。また、第１筒状体と第２筒状体の足元でこれらに折り重なるようにホーンが基台の上に載置される。これらの構成によって、本考案のものは音道を長尺化しながらもボックスの高さを短尺化し、かつ、ホーンが筒状体に重なるので幅方向が短尺化され、その結果ボックス全体をコンパクトに構成することができる。
【００３１】
本考案の第一実施例の外観形状は高音スピーカ及び中音スピーカの取付面に対し、ホーンの開口方向が略平行である。本考案では陶土を使用し、個別に成形した部材同士を継ぎ足して一体化する製法なので、スピーカの取付面に対し、ホーンの開口方向を折り曲げて横向きに継ぎ足すこと等自在である。この音道の構成によって、高音スピーカ及び中音スピーカから放射された音波に対して、ホーンから放射される音波はこれらと直角方向になる。このことによって、スピーカからの放射音とホーンからの放射音とによって、室内空間で合成されて立体感のある音響効果を感じるとることができる。また、ホーンからの放射される音波は、二つのスピーカからの音波とは時差がある。即ち、本考案によるスピーカボックスによると、多方向からの音波が室内空間で合成され、３Ｄ音響効果による立体感のある音質を実感でき、かつ、時差遅れの音が合成された雰囲気音を演出することが期待できる。
【００３２】
本考案では、ホーンの開口方向を折り曲げて横向きに継ぎ足すことの他に、図６に示すように、ホーンの開口部が下向きに傾斜して設定される。このことによって、ホーンからの放出音響エネルギーを床面に反射、反響させながら音響エネルギーの空間合成を有効にすることが期待できる。即ち、本考案の実施例１では、ホーンの開口方向を折り曲げて横向きに継ぎ足すことを説明し、実施例２ではホーンの開口部を下向きに傾斜して設定することを説明した。また、本考案の実施例１、２では、マルチスピーカシステムを前提として説明したが、スピーカを一本だけ使用して高音スピーカを使用しない場合もあり得、本考案の要旨を変更するものではない。
【産業上の利用可能性】
【００３３】
本考案によるバックロードホーンスピーカボックスは、従来は、構造が複雑なために量産に適さないと考えられていたバックロードホーンエンクロージャを陶土の成形加工により量産が可能となり、しかも、折り曲げられた円形断面の音道の外形を象る成形体によって構成されるため、デザイン性に優れ、オーディオ愛好家の多様な要求に応ずることができる。また、本考案によるスピーカボックスは音楽に外観美という観念を加えたオブジェとして、効果的な空間を演出することに寄与する。
【符号の説明】
【００３４】
１００、２００  ボックス
１  中音スピーカ取付部
１１  穴
１２  鍔
１３  バックチャンバー
２  高音スピーカ取付部
２１  穴
２２  鍔
２３  バックチャンバー
３  梁
４  第１筒状体
４１  スロート
４２、４３、４４  仕切板
４５、４６、４７、４８  外壁
５  第２筒状体
５１、５２、５３、５４  外壁
５５  スロート
６  ホーン
６１  スロート
７  開口部
８  基台
Ｐ１、Ｑ１、Ｒ１、Ｓ１、Ｔ１、Ｕ１、Ｖ１、Ｐ２、Ｕ２、Ｖ２  音道
Ｅ、Ｆ、Ｌ、Ｋ、Ｅ１、Ｆ１、Ｇ１、Ｈ１、Ｊ１、Ｋ１、Ｅ２、Ｆ２、Ｇ２、Ｈ２、Ｊ２、Ｋ２  音波
２００、３００、４００、５００、６００、７００  ボックス
２０、３０、４０、５０、６０、７０  スピーカシステム
２０１、３０１、４０１、５０１、６０１、７０１  スピーカ
２０２、３０２、４０２、５０２、６０２、７０２  バックチャンバー
２０３、３０３、４０３、５０３、６０３、７０３  開口部
４０４、５０４、６０４、７０４  音道
２０５、３０５、４０５、５０５、６０５、７０５  スロート
４０６、６０６、７０６  仕切板
【図１】
0003150127.tif 000003
【図２】
0003150127.tif 000004
【図３】
0003150127.tif 000005
【図４】
0003150127.tif 000006
【図５】
0003150127.tif 000007
【図６】
0003150127.tif 000008
【図７】
0003150127.tif 000009
【図８】
0003150127.tif 000010
【図９】
0003150127.tif 000011
【図１０】
0003150127.tif 000012
【図１１】
0003150127.tif 000013
【図１２】
0003150127.tif 000014
【図１３】
0003150127.tif 000015
【図１４】
0003150127.tif 000016
【図１５】
0003150127.tif 000017
【図１６】
0003150127.tif 000018